(57)【要約】      （修正有）【課題】状況に応じた供給方式によって動画を供給するシステムを提供する。【解決手段】端末装置１０は、ユーザを識別するユーザ識別情報の入力操作と、可搬媒体３０に表記される動画コンテンツを識別するコンテンツ識別情報ＣＩの入力操作を受け付け、受け付けたコンテンツ識別情報と、ユーザ識別情報と、動画コンテンツが供給される方法を示す供給方式情報をサーバ装置に送信する。サーバ装置２０は、受信したユーザ識別情報を照合し、照合した結果に基づいて、動画コンテンツを読み出し、受信した供給方式情報に基づいて、動画コンテンツの供給方式を選択し、端末装置１０へ供給する。【選択図】図１
2016213576.tif 000002
【特許請求の範囲】
【請求項１】
端末装置と、前記端末装置に対して動画コンテンツを供給するサーバ装置とを備える動画コンテンツ供給システムであって、
前記端末装置は、
ユーザを識別するユーザ識別情報の入力操作と、可搬媒体に表記される前記動画コンテンツを識別するコンテンツ識別情報の入力操作とを受け付ける入力受付部と、
前記サーバ装置から供給される前記動画コンテンツを再生する再生部と、
前記入力受付部が受け付けた前記コンテンツ識別情報と、前記ユーザ識別情報と、前記動画コンテンツが供給される方法を示す供給方式情報とを前記サーバ装置にそれぞれ送信する送信部と、
を備え、
前記サーバ装置は、
前記コンテンツ識別情報と、前記ユーザ識別情報と、前記供給方式情報とを前記端末装置からそれぞれ受信する受信部と、
前記コンテンツ識別情報と、前記動画コンテンツとが関連付けられて予め記憶されている記憶部と、
前記受信部が受信する前記ユーザ識別情報を照合する照合部と、
前記照合部が前記ユーザ識別情報を照合した結果に基づいて、前記受信部が受信する前記コンテンツ識別情報と同一の前記コンテンツ識別情報に関連付けられている前記動画コンテンツを、前記記憶部から読み出す読出し部と、
前記受信部が受信する前記供給方式情報に基づいて、前記動画コンテンツの供給方式を選択する選択部と、
前記読出し部が読み出した前記動画コンテンツを、前記選択部が選択した供給方式によって、前記端末装置へ供給する供給部と、
を備える
ことを特徴とする動画コンテンツ供給システム。
【請求項２】
前記供給方式情報には、
前記再生部が前記動画コンテンツを再生する環境を示す環境情報が含まれており、
前記選択部は、
前記受信部が受信した前記供給方式情報に含まれる前記環境情報に基づいて、前記動画コンテンツの供給方式を選択する
ことを特徴とする請求項１に記載の動画コンテンツ供給システム。
【請求項３】
前記供給方式情報とは、
前記コンテンツ識別情報であり、
前記選択部は、
前記受信部が受信した前記前記供給方式情報としての前記コンテンツ識別情報に基づいて、前記動画コンテンツの供給方式を選択する
ことを特徴とする請求項１または請求項２に記載の動画コンテンツ供給システム。
【請求項４】
前記供給方式情報には、
前記ユーザによって選択された前記供給方式を示すユーザ指示情報が含まれており、
前記選択部は、
前記受信部が受信した前記供給方式情報に含まれる前記ユーザ指示情報に基づいて、前記動画コンテンツの供給方式を選択する
ことを特徴とする請求項１から請求項３のいずれか一項に記載の動画コンテンツ供給システム。
【請求項５】
前記記憶部には、
１つの前記コンテンツ識別情報と、１つ又は２つ以上の前記動画コンテンツとが関連付けられて、予め記憶されている
ことを特徴とする請求項１から請求項４のいずれか一項に記載の動画コンテンツ供給システム。
【発明の詳細な説明】
【技術分野】
【０００１】
本発明は、動画コンテンツ供給システムに関する。
【背景技術】
【０００２】
従来、消費者が音楽コンテンツを購入する際には、再生可能な音楽コンテンツが記憶されたコンパクトディスク（以下ＣＤ：Ｃｏｍｐａｃｔ  Ｄｉｓｃ）等の記憶媒体を購入することが一般的であった。一方、インターネットや携帯端末の普及に伴って、携帯端末やパーソナルコンピュータ（以下ＰＣ：Ｐｅｒｓｏｎａｌ  Ｃｏｍｐｕｔｅｒ）にネットワークを介して音楽コンテンツをダウンロードすることにより、音楽コンテンツを取得することが可能となっている。
【先行技術文献】
【特許文献】
【０００３】
【特許文献１】特開２００３−１５６６０号公報
【発明の概要】
【発明が解決しようとする課題】
【０００４】
近年では更なるインターネットや携帯端末の更なる技術的進歩に伴い、音楽コンテンツに限らず、動画コンテンツについても携帯端末やＰＣにネットワークを介してダウンロードすることが可能となっている。しかしながら、一般的に携帯端末はＰＣと比較してデータ容量が少ない場合がある。この場合、動画コンテンツをダウンロードすることにより、携帯端末のデータ容量が圧迫することがある。すなわち、ユーザが動画コンテンツをダウンロードする端末によっては、ユーザ端末のデータ容量を圧迫することがある。
この一例のように、従来の技術では、状況に応じた供給方式によって動画を供給することができない場合があった。
【０００５】
本発明は、状況に応じた供給方式によって動画を供給することができる動画コンテンツ供給システムを提供することを目的とする。
【課題を解決するための手段】
【０００６】
本発明の一実施形態は、端末装置と、前記端末装置に対して動画コンテンツを供給するサーバ装置とを備える動画コンテンツ供給システムであって、前記端末装置は、ユーザを識別するユーザ識別情報の入力操作と、可搬媒体に表記される前記動画コンテンツを識別するコンテンツ識別情報の入力操作とを受け付ける入力受付部と、前記サーバ装置から供給される前記動画コンテンツを再生する再生部と、前記入力受付部が受け付けた前記コンテンツ識別情報と、前記ユーザ識別情報と、前記動画コンテンツが供給される方法を示す供給方式情報とを前記サーバ装置にそれぞれ送信する送信部と、を備え、前記サーバ装置は、前記コンテンツ識別情報と、前記ユーザ識別情報と、前記供給方式情報とを前記端末装置からそれぞれ受信する受信部と、前記コンテンツ識別情報と、前記動画コンテンツとが関連付けられて予め記憶されている記憶部と、前記受信部が受信する前記ユーザ識別情報を照合する照合部と、前記照合部が前記ユーザ識別情報を照合した結果に基づいて、前記受信部が受信する前記コンテンツ識別情報と同一の前記コンテンツ識別情報に関連付けられている前記動画コンテンツを、前記記憶部から読み出す読出し部と、前記受信部が受信する前記供給方式情報に基づいて、前記動画コンテンツの供給方式を選択する選択部と、前記読出し部が読み出した前記動画コンテンツを、前記選択部が選択した供給方式によって、前記端末装置へ供給する供給部と、を備えることを特徴とする動画コンテンツ供給システムである。
【発明の効果】
【０００７】
本発明によれば、状況に応じた供給方式によって動画を供給することができる。
【図面の簡単な説明】
【０００８】
【図１】本発明の第１実施形態による動画コンテンツ供給システムの構成の概要を示す模式図である。
【図２】可搬媒体の一例を示す模式図である。
【図３】動画コンテンツ供給システムの構成の一例を示す概要図である。
【図４】ユーザＰＣ端末のユーザ識別情報の入力受付画面の一例を示す模式図である。
【図５】ユーザＰＣ端末のコンテンツ識別情報の入力受付画面の一例を示す模式図である。
【図６】ユーザ携帯端末のユーザ識別情報の入力受付画面の一例を示す模式図である。
【図７】ユーザ携帯端末のコンテンツ識別情報の入力受付画面の一例を示す模式図である。
【図８】コンテンツ記憶部に記憶される動画コンテンツの一例を示す模式図である。
【図９】本実施形態の動画コンテンツ供給システムの動作の一例を示す第１の流れ図である。
【図１０】本実施形態の動画コンテンツ供給システムの動作の一例を示す第２の流れ図である。
【図１１】本発明の第２実施形態及び第３の実施形態の動画コンテンツ供給システムの動作の一例を示す第１の流れ図である。
【図１２】本発明の第２実施形態及び第３の実施形態の動画コンテンツ供給システムの動作の一例を示す第２の流れ図である。
【図１３】コンテンツ記憶部に記憶される動画コンテンツの一例を示す模式図である。
【図１４】コンテンツ記憶部に記憶される動画コンテンツの一例を示す模式図である。
【図１５】可搬媒体の一例を示す模式図である。
【発明を実施するための形態】
【０００９】
［第１実施形態］
以下、図を参照して本発明の第１実施形態による動画コンテンツ供給システム１の第１実施形態について説明する。始めに図１を参照して、動画コンテンツ供給システム１の構成の概要について説明する。
図１は、本実施形態による動画コンテンツ供給システム１の構成の概要を示す模式図である。本実施形態の動画コンテンツ供給システム１は、ユーザＵが動画コンテンツＭＣを、ネットワークＮを介して視聴するシステムである。動画コンテンツ供給システム１は、ユーザ端末１０と、サーバ装置２０と、可搬媒体３０とを備える。まず、図２を参照して可搬媒体３０の詳細について説明する。
【００１０】
図２は、可搬媒体３０の一例を示す模式図である。可搬媒体３０は、例えば、ノベルティグッズや、金属等、情報を付することができる物であればよい。この一例では、可搬媒体３０が紙製のカードである場合について説明する。可搬媒体３０は、レコード店やコンビニエンスストアなどの店頭などにおいて販売される。この可搬媒体３０には、ある特定の動画コンテンツを視聴する権利が付与されている。すなわち、ユーザＵは、可搬媒体３０を購入することにより、この可搬媒体３０に紐づけられた、ある特定の動画コンテンツＭＣを視聴する権利を得る。従来、このように動画コンテンツＭＣを視聴する権利を得るために購入される媒体として、いわゆるプリペイドカードがある。可搬媒体３０は、視聴対応のコンテンツが限定されているのに対し、いわゆるプリペイドカードは、視聴対象のコンテンツが限定されていない点で、相違する。
【００１１】
可搬媒体３０は、表面と、裏面との２つの表記面を有する。可搬媒体３０の表面には、動画コンテンツＭＣを示す情報が示される。例えば、動画コンテンツＭＣに関連する内容の絵や写真、文字等が表記される。具体的には、動画コンテンツＭＣに出演しているアーティストの写真が、可搬媒体３０の表面に表記される。
可搬媒体３０の裏面には、コンテンツ識別情報ＣＩと、動画コンテンツアドレスＡＤとが表記される。
コンテンツ識別情報ＣＩとは、動画コンテンツＭＣに予め関連付けられた情報であって、動画コンテンツＭＣを識別する情報である。このコンテンツ識別情報ＣＩは、可搬媒体３０毎に相違するアルファベットや、数字などからなる文字列として、可搬媒体３０の裏面に、予め印字されている。可搬媒体３０の裏面のうち、コンテンツ識別情報ＣＩが印字されている部分には、遮蔽シールＳＳが貼付されている。ユーザは、この遮蔽シールＳＳを剥がすまでは、コンテンツ識別情報ＣＩの文字列を視認することができない。この遮蔽シールＳＳにより、可搬媒体３０は、可搬媒体３０に印字されたコンテンツ識別情報ＣＩを、対価を支払うことなく盗み見られることを抑止することができる。
【００１２】
動画コンテンツアドレスＡＤとは、動画コンテンツＭＣを取得する際にアクセスするホームページのアドレスを示す文字列である。なお、動画コンテンツアドレスＡＤは、この文字列を、例えば、２次元コードＴＤなどによりコード化されたものであってもよい。２次元コードＴＤとは、動画コンテンツアドレスＡＤが示すアドレスを２次元コードによって示したコードである。
【００１３】
以下、図１に戻り本実施形態の動画コンテンツ供給システム１の構成の概要を説明する。
サーバ装置２０には、コンテンツ識別情報ＣＩと関連付けられた動画コンテンツＭＣが予め記憶されている。
ユーザＵは、ユーザ端末１０が予め備えるウェブブラウザソフトを使用して、動画コンテンツアドレスＡＤ、又は２次元コードＴＤに基づいてホームページへアクセスする。このホームページを介して、ユーザＵは、サーバ装置２０に予め記憶されている動画コンテンツＭＣを視聴する。
ここで、ユーザ端末１０がＰＣ（Ｐｅｒｓｏｎａｌ  Ｃｏｍｐｕｔｅｒ）である場合と、ユーザ端末１０がスマートフォンなどの携帯端末である場合とがある。ユーザＵが使用するユーザ端末１０がＰＣである場合、ユーザ端末１０をユーザＰＣ端末１０−１と称する。また、ユーザＵが使用するユーザ端末１０がスマートフォンなどの携帯端末である場合、ユーザ端末１０をユーザ携帯端末１０−２と称する。以下、ユーザＵが使用する端末を特に区別しない場合は、ユーザ端末１０と称する。
以下、図３を参照して動画コンテンツ供給システム１の構成の詳細について説明する。
【００１４】
図３は、動画コンテンツ供給システム１の構成の一例を示す概要図である。
次に、ユーザ端末１０について説明する。
ユーザ端末１０は、入力部１１０と、表示部１２０と、端末制御部１３０と、記憶部１４０と、を備える。
以下、図３から図５を参照し、ユーザ端末１０がユーザＰＣ端末１０−１である場合の、より具体的な一例について説明する。
【００１５】
図４は、ユーザＰＣ端末１０−１のユーザ識別情報ＵＩＤの入力受付画面の一例を示す模式図である。このユーザ識別情報ＵＩＤとは、ユーザＵの認証に使用されるユーザＵの情報である。
ユーザ端末１０がユーザＰＣ端末１０−１である場合、ユーザ端末１０が備える入力部１１０とは、キーボードＫＢである。また、ユーザＰＣ端末１０−１の場合、ユーザ端末１０が備える表示部１２０とは、モニターＭＴである。
【００１６】
ここで、動画コンテンツ供給システム１が、ユーザＵが動画コンテンツ供給システム１の登録ユーザであるか否かを認証した上で、動画コンテンツＭＣを供給するシステムである場合を一例にして説明する。この場合、ユーザＵは、動画コンテンツ供給システム１の登録ユーザであると認証された場合、動画コンテンツ供給システム１が供給する動画コンテンツＭＣを視聴することができる。
この一例の場合、ユーザ識別情報ＵＩＤには、ユーザ名ＵＮと、パスワードＰＷとが含まれる。ユーザ名ＵＮとは、ユーザＵによって設定されるユーザＵの名称を示す文字列である。また、パスワードＰＷとは、ユーザＵによって設定されるユーザＵの認証に使用される文字列である。動画コンテンツ供給システム１は、ユーザＵが動画コンテンツ供給システム１の登録ユーザであるか否かをユーザ識別情報ＵＩＤによって認証する。
ここでは、ユーザ識別情報ＵＩＤが、動画コンテンツ供給システム１に予め登録されている場合について説明する。以下の説明において、ユーザ識別情報ＵＩＤによって、ユーザＵが動画コンテンツ供給システム１に認証されることを、ユーザＵがログインするとも称する。
【００１７】
ユーザＵは、ユーザＰＣ端末１０−１を使用して、可搬媒体３０に表記される動画コンテンツアドレスＡＤが示すホームページにネットワークＮを介してアクセスする。
モニターＭＴには、動画コンテンツアドレスＡＤが示すホームページが示される。この動画コンテンツアドレスＡＤが示すホームページには、ユーザ識別情報ＵＩＤの入力を受付ける項目が含まれる。この動画コンテンツアドレスＡＤが示すホームページをユーザ識別情報入力ページＵＩＤＰと称する。すなわち、ユーザＵが動画コンテンツアドレスＡＤにアクセスすることにより、モニターＭＴには、ユーザ識別情報入力ページＵＩＤＰが表示される。
ユーザＵは、モニターＭＴに表示されるユーザ識別情報入力ページＵＩＤＰのユーザ識別情報ＵＩＤの入力を受付ける項目に、ユーザ名ＵＮと、パスワードＰＷとをキーボードＫＢを使用して入力する。ユーザＵは、これらの情報を入力した後、キーボードＫＢのエンターボタンを押下すると、動画コンテンツ供給システム１にログインされる。以下、図５を参照してコンテンツ識別情報ＣＩの入力について説明する。
【００１８】
図５は、ユーザＰＣ端末１０−１のコンテンツ識別情報ＣＩの入力受付画面の一例を示す模式図である。
動画コンテンツ供給システム１にログインされた場合、モニターＭＴには、コンテンツ識別情報ＣＩの入力を受付けるホームページが表示される。このコンテンツ識別情報ＣＩの入力を受付けるホームページを、コンテンツ識別情報ページＣＩＰと称する。コンテンツ識別情報ページＣＩＰの表示に従って、ユーザＵは、キーボードＫＢから可搬媒体３０に表記されるコンテンツ識別情報ＣＩを入力する。ユーザＵは、コンテンツ識別情報ＣＩを入力した後、キーボードＫＢのエンターボタンを押下して、動画コンテンツＭＣを視聴する。
【００１９】
次に、図３と、図６と、図７とを参照し、ユーザ端末１０がユーザ携帯端末１０−２である場合の、より具体的な一例について説明する。
図６は、ユーザ携帯端末１０−２のユーザ識別情報ＵＩＤの入力受付画面の一例を示す模式図である。この一例の場合、ユーザ携帯端末１０−２はスマートフォンである場合について説明する。
ユーザ端末１０がユーザ携帯端末１０−２である場合、ユーザ端末１０が備える表示部１２０とは、ディスプレイＤＰである。また、ユーザ携帯端末１０−２の場合、ユーザ端末１０が備える入力部１１０とは、ディスプレイＤＰ面に広がるタッチパネルＴＰである。
【００２０】
ユーザＵは、ディスプレイＤＰに表示されるユーザ識別情報入力ページＵＩＤＰのユーザ識別情報ＵＩＤの入力を受付ける項目に、ユーザ名ＵＮと、パスワードＰＷとをタッチパネルＴＰを使用して入力する。ユーザＵは、これらの情報を入力した後、タッチパネルＴＰから「ログイン」の項目をタッチすると、動画コンテンツ供給システム１にログインされる。以下、図７を参照してコンテンツ識別情報ＣＩの入力について説明する。
【００２１】
図７は、ユーザ携帯端末１０−２のコンテンツ識別情報ＣＩの入力受付画面の一例を示す模式図である。
動画コンテンツ供給システム１にユーザＵがログインした場合、ディスプレイＤＰには、コンテンツ識別情報ＣＩの入力を受付けるホームページが表示される。このコンテンツ識別情報ＣＩの入力を受付けるホームページを、コンテンツ識別情報ページＣＩＰと称する。コンテンツ識別情報ページＣＩＰの表示に従って、ユーザＵは、タッチパネルＴＰから可搬媒体３０に表記されるコンテンツ識別情報ＣＩを入力する。ユーザＵは、コンテンツ識別情報ＣＩを入力した後、タッチパネルＴＰから「視聴する」の項目をタッチすることにより、動画コンテンツＭＣを視聴する。
【００２２】
以下、図３に戻り動画コンテンツ供給システム１の構成の詳細について説明する。
記憶部１４０には、予め環境情報ｅｉが記憶される。この環境情報ｅｉとは、ユーザ端末１０の環境を示す情報である。ユーザ端末１０がユーザＰＣ端末１０−１である場合、環境情報ｅｉとは、ユーザ端末１０がＰＣであるという情報である。また、ユーザ端末１０がユーザ携帯端末１０−２である場合、環境情報ｅｉとは、ユーザ端末１０が携帯端末であるという情報である。記憶部１４０は、環境情報ｅｉを送信部１３２へ供給する。
【００２３】
ユーザ端末１０の端末制御部１３０は、ＣＰＵ（Ｃｅｎｔｒａｌ  Ｐｒｏｃｅｓｓｉｎｇ  Ｕｎｉｔ）を備えており、その機能部としての入力受付部１３１と、送信部１３２と、再生部１３４とを備える。
入力受付部１３１は、ユーザ識別情報ＵＩＤと、コンテンツ識別情報ＣＩとをそれぞれ入力部１１０から取得する。入力受付部１３１は、入力部１１０から取得したユーザ識別情報ＵＩＤと、コンテンツ識別情報ＣＩとを送信部１３２へ供給する。
送信部１３２は、入力受付部１３１から取得したユーザ識別情報ＵＩＤと、コンテンツ識別情報ＣＩと、記憶部１４０から読み出した環境情報ｅｉとをサーバ装置２０に送信する。
再生部１３４は、サーバ装置２０から動画コンテンツＭＣを取得する。また、再生部１３４は、サーバ装置２０から取得した動画コンテンツＭＣを再生する。
表示部１２０は、再生部１３４が再生する動画コンテンツＭＣを表示する。
【００２４】
次に、サーバ装置２０について説明する。
サーバ装置２０は、サーバ制御部２１０と、コンテンツ記憶部２２０とを備える。まず、コンテンツ記憶部２２０について、図８を参照して説明する。
【００２５】
図８は、コンテンツ記憶部２２０に記憶される動画コンテンツＭＣの一例を示す模式図である。コンテンツ記憶部２２０には、コンテンツ識別情報ＣＩと、動画コンテンツＭＣとが関連付けされて予め記憶される。具体的には、コンテンツ識別情報ＣＩ１は、動画コンテンツＭＣ１と関連付けられ、コンテンツ記憶部２２０に記憶される。また、コンテンツ識別情報ＣＩ２は、動画コンテンツＭＣ２と関連付けられ、コンテンツ記憶部２２０に記憶される。また、コンテンツ識別情報ＣＩ３は、動画コンテンツＭＣ３と関連付けられ、コンテンツ記憶部２２０に記憶される。
【００２６】
図３に戻り、サーバ装置２０のサーバ制御部２１０は、ＣＰＵを備えており、その機能部としての受信部２１１と、照合部２１２と、選択部２１３と、読出し部２１４と、供給部２１５とを備える。
【００２７】
受信部２１１は、ユーザ端末１０が供給するユーザ識別情報ＵＩＤと、コンテンツ識別情報ＣＩと、環境情報ｅｉとを取得する。受信部２１１は、ユーザ識別情報ＵＩＤと、コンテンツ識別情報ＣＩとを照合部へ供給する。また、受信部２１１は、環境情報ｅｉを選択部２１３へ供給する。
【００２８】
照合部２１２は、受信部２１１から取得したユーザ識別情報ＵＩＤに基づいて、ユーザＵが動画コンテンツ供給システム１の登録ユーザであるか否かを照合する。また、照合部２１２は、受信部２１１から取得したコンテンツ識別情報ＣＩが動画コンテンツＭＣと予め関連付けられた、いずれかのコンテンツ識別情報ＣＩと一致するか否かを照合する。照合部は、ユーザ識別情報ＵＩＤと、コンテンツ識別情報ＣＩとの照合結果が正しい場合、コンテンツ識別情報ＣＩを読出し部へ供給する。
【００２９】
読出し部２１４は、照合部２１２から取得したコンテンツ識別情報ＣＩと関連付けられた動画コンテンツＭＣをコンテンツ記憶部２２０から読み出す。読出し部２１４は、コンテンツ記憶部２２０から読み出した動画コンテンツＭＣを供給部２１５へ供給する。
【００３０】
選択部２１３は、受信部２１１から取得した環境情報ｅｉに基づいて、動画コンテンツＭＣの供給方式を選択する。この動画コンテンツＭＣの供給方式には、ダウンロード方式と、ストリーミング方式とがある。選択部２１３は、ユーザ端末１０がＰＣであるという情報を環境情報ｅｉが含む場合、動画コンテンツＭＣの供給方式として、ダウンロード方式を選択する。また、ユーザ端末１０が携帯端末であるという情報を環境情報ｅｉが含む場合、選択部２１３は、動画コンテンツＭＣの供給方式として、ストリーミング方式を選択する。すなわち、選択情報ＳＩには、動画コンテンツＭＣの供給方式がダウンロード方式であるか、又はストリーミング方式であるかを示す情報が含まれる。選択部２１３は、動画コンテンツＭＣの供給方式を環境情報ｅｉに基づいて選択し、選択した結果を選択情報ＳＩとして供給部２１５へ供給する。
供給部２１５は、読出し部２１４が読み出した動画コンテンツＭＣを、選択部２１３から取得した選択情報ＳＩに基づく供給方式によって、ユーザ端末１０へ供給する。
【００３１】
次に図９と、図１０とを参照して、動画コンテンツ供給システム１の動作について説明する。
図９と、図１０は、本実施形態の動画コンテンツ供給システム１の動作の一例を示す流れ図である。図９と、図１０とは、接続点Ａ、接続点Ｂ、及び接続点Ｃによって接続される。
ユーザ端末１０は、ユーザ端末プログラムＰｒｇ１０に基づいて動作する。ユーザ端末１０は、ユーザ端末プログラムＰｒｇ１０に基づいて、図９と、図１０に示すステップＳ１００からステップＳ１７０を実行する。また、サーバ装置２０は、サーバ装置プログラムＰｒｇ２０に基づいて動作する。サーバ装置２０は、サーバ装置プログラムＰｒｇ２０に基づいて、図９と、図１０に示すステップＳ２１０からステップＳ３００を実行する。
【００３２】
ユーザ端末１０の入力部１１０は、ユーザ識別情報ＵＩＤを取得する（ステップＳ１００）。入力受付部１３１は、入力部１１０からユーザ識別情報ＵＩＤを取得する（ステップＳ１１０）。送信部１３２は、入力受付部１３１が入力部１１０から取得したユーザ識別情報ＵＩＤをサーバ装置２０へ送信する（ステップＳ１２０）。
サーバ装置２０の受信部２１１は、ユーザ端末１０の送信部１３２が送信したユーザ識別情報ＵＩＤを受信する（ステップＳ２１０）。照合部２１２は、受信部２１１が受信したユーザ識別情報ＵＩＤを照合する（ステップＳ２２０）。照合部２１２によって、ユーザＵが動画コンテンツ供給システム１の登録ユーザであると照合された場合（ステップＳ２３０；ＹＥＳ）には、処理をステップＳ２４０へ進める。一方、照合部２１２によって、ユーザＵが動画コンテンツ供給システム１の登録ユーザではないと照合された場合（ステップＳ２３０；ＮＯ）には、サーバ装置２０は、動画コンテンツＭＣをユーザ端末１０へ供給せずに（ステップＳ３００）処理を終了する。
ユーザ端末１０の入力部１１０は、コンテンツ識別情報ＣＩを取得する（ステップＳ１３０）。入力受付部１３１は、入力部１１０からコンテンツ識別情報ＣＩを取得する（ステップＳ１４０）。送信部１３２は、入力受付部１３１が入力部１１０から取得したコンテンツ識別情報ＣＩをサーバ装置２０へ送信する（ステップＳ１５０）。
【００３３】
サーバ装置２０の受信部２１１は、ユーザ端末１０の送信部１３２が送信したコンテンツ識別情報ＣＩを受信する（ステップＳ２４０）。照合部２１２は、受信部２１１が受信したコンテンツ識別情報ＣＩを照合する（ステップＳ２５０）。照合部２１２によって、受信部２１１から取得したコンテンツ識別情報ＣＩと、動画コンテンツＭＣに予め関連付けられたコンテンツ識別情報ＣＩとが一致すると照合された場合（ステップＳ２６０；ＹＥＳ）には、処理をステップＳ２７０へ進める。一方、照合部２１２によって、受信部２１１から取得したコンテンツ識別情報ＣＩと、動画コンテンツＭＣに予め関連付けられたコンテンツ識別情報ＣＩとが一致しない照合された場合（ステップＳ２６０；ＮＯ）には、サーバ装置２０は、動画コンテンツＭＣをユーザ端末１０へ供給せずに（ステップＳ３００）処理を終了する。
【００３４】
選択部２１３は、受信部２１１から取得した取得した環境情報ｅｉに基づいて、動画コンテンツＭＣの供給方式を選択する（ステップＳ２７０）。ユーザ端末１０がＰＣであるという情報を環境情報ｅｉが含む場合（ステップＳ２７０；ＹＥＳ）、選択部２１３は、ダウンロード方式の供給方式を選択し、処理をステップＳ２８０へ進める。ユーザ端末１０が携帯端末であるという情報を環境情報ｅｉが含む場合（ステップＳ２７０；ＮＯ）には、選択部２１３は、ストリーミング方式の供給方式を選択し、処理をステップＳ２９０へ進める。
供給部２１５は、選択部２１３が選択したダウンロード方式によって、読出し部２１４がコンテンツ識別情報ＣＩに基づいて読み出した動画コンテンツＭＣをユーザ端末１０へ供給する（ステップＳ２８０）。また、供給部２１５は、選択部２１３が選択したストリーミング方式によって、読出し部２１４がコンテンツ識別情報ＣＩに基づいて読み出した動画コンテンツＭＣをユーザ端末１０へ供給する（ステップＳ２９０）。
【００３５】
ユーザ端末１０の再生部１３４は、サーバ装置２０の供給部２１５から供給された動画コンテンツＭＣを取得して再生する（ステップＳ１６０）。表示部１２０は、再生部１３４が再生する動画コンテンツＭＣを表示する（ステップＳ１７０）。
【００３６】
以上説明したように、本実施形態の動画コンテンツ供給システム１は、ユーザ端末１０と、ユーザ端末１０に対して動画コンテンツＭＣを供給するサーバ装置２０とを備える。
ユーザ端末１０は、ユーザを識別するユーザ識別情報ＵＩＤの入力操作と、可搬媒体３０に表記される動画コンテンツＭＣを識別するコンテンツ識別情報ＣＩの入力操作とを受け付ける入力受付部１３１を備える。また、ユーザ端末１０は、サーバ装置２０から供給される動画コンテンツＭＣを再生する再生部１３４と、入力受付部１３１が受け付けたコンテンツ識別情報ＣＩと、ユーザ識別情報ＵＩＤと、環境情報ｅｉとをサーバ装置２０にそれぞれ送信する送信部１３２とを備える。
【００３７】
サーバ装置２０は、コンテンツ識別情報ＣＩと、ユーザ識別情報ＵＩＤと、環境情報ｅｉとをユーザ端末１０からそれぞれ受信する受信部２１１を備える。また、サーバ装置２０は、コンテンツ記憶部２２０を備える。このコンテンツ記憶部２２０には、コンテンツ識別情報ＣＩと、動画コンテンツＭＣとが関連付けられて予め記憶される。また、サーバ装置２０は、受信部２１１が受信するユーザ識別情報ＵＩＤを照合する照合部２１２を備える。また、サーバ装置２０は、読出し部２１４を備える。読出し部２１４は、照合部２１２がユーザ識別情報ＵＩＤを照合した結果に基づいて、動画コンテンツＭＣを読み出す。この読出し部２１４が読み出す動画コンテンツＭＣは、受信部２１１が受信するコンテンツ識別情報ＣＩと同一のコンテンツ識別情報ＣＩに関連付けられている。また、サーバ装置２０は、選択部２１３を備える。選択部２１３は、受信部２１１が受信する環境情報ｅｉに基づいて、動画コンテンツＭＣの供給方式を選択する。また、サーバ装置２０は、供給部２１５を備える。供給部２１５は、読出し部２１４が読み出した動画コンテンツＭＣを、選択部２１３が選択した選択情報ＳＩに基づいて、前記端末装置へ供給する。
【００３８】
ここで、従来の技術では、ユーザが端末から、ネットワークを介して動画コンテンツをダウンロードする場合がある。しかしながら、携帯端末はＰＣと比較してデータ容量が少ない場合がある。この場合、動画コンテンツをダウンロードすることにより、携帯端末は、データ容量が圧迫される。すなわち、ユーザが動画コンテンツをダウンロードする端末によってはユーザの端末のデータ容量を圧迫することがある。
本実施形態の場合、サーバ装置２０は、再生部１３４が動画コンテンツＭＣを再生するユーザ端末１０の環境を示す環境情報ｅｉを取得する。これにより、選択部２１３は、受信部２１１が受信した環境情報ｅｉに基づいて、動画コンテンツＭＣの供給方式を選択する。具体的には、サーバ装置２０は、ユーザ端末１０がユーザＰＣ端末１０−１であればダウンロード方式によって動画コンテンツＭＣを供給する。また、サーバ装置２０は、ユーザ端末１０がユーザ携帯端末１０−２であればストリーミング方式によって動画コンテンツＭＣを供給する。これにより、本実施形態の動画コンテンツ供給システム１は、ユーザ端末１０の環境に応じて動画コンテンツＭＣの供給方式を選択することができる。
すなわち、ユーザＵは、ユーザ端末１０のデータ容量の多少にかかわらず、動画コンテンツＭＣを視聴することができる。
【００３９】
また、従来、動画コンテンツＭＣをインターネット等のネットワークを介して購入する際、一定の金額を示すプリペイドカード等を予め購入し、購入したプリペイドカードに示される金額から動画コンテンツＭＣをするシステムある。この場合、プリペイドカードに示される金額と、動画コンテンツＭＣとの金額が等価でないため、ユーザＵは、動画コンテンツＭＣを取得するために余剰な金額を支払う必要があった。
これに対し、本実施形態における可搬媒体３０は、動画コンテンツＭＣ毎に販売される。すなわち、ユーザＵは、動画コンテンツＭＣと同等の価値である可搬媒体３０を、動画コンテンツＭＣの価値を示す金額と同じ価格で動画コンテンツＭＣを視聴する権利を購入することができる。また、ユーザＵは、動画コンテンツＭＣと同等の価値である可搬媒体３０を、クレジットカードやプリペイドカードではなく、現金で購入することができる。
【００４０】
また、従来の技術では、動画コンテンツＭＣをインターネット等のネットワークを介して購入する際、ユーザＵは、動画コンテンツＭＣのデータのみをユーザ端末１０内に所有する。
これに対し、本実施形態における可搬媒体３０は、表面に動画コンテンツＭＣを示す情報が示される。これにより、従来におけるＣＤ等のジャケット写真等を所有することと同様の効果を得られるため、ユーザＵの所有欲を満たすことができる。
【００４１】
［第２実施形態］
次に、本発明の第２実施形態について図１１と、図１２とを参照して説明する。
図１１と、図１２とは、第２実施形態と、第３の実施形態の動画コンテンツ供給システム１の動作の一例を示す流れ図である。図１１と、図１２とは、接続点Ａ’、接続点Ｂ’、及び接続点Ｃ’によって接続される。第１実施形態と、第２実施形態とは、次の点で相違する。
第２実施形態の場合、動画コンテンツＭＣ毎に供給方式が予め定められている。この場合、サーバ装置２０は、ユーザＵの使用するユーザ端末１０にかかわらず、予め定められた供給方式によって動画コンテンツＭＣをユーザ端末１０へ供給する。
これにより、例えば、本編の動画コンテンツＭＣの販売促進用に、本編となる動画コンテンツＭＣの抜粋をストリーミング方式によって供給することができる。
以下、図１１と、図１２とを参照して、第２実施形態の動作の一例について説明する。なお、以下の説明において、第１実施形態と同一の構成または同一の動作については同一の符号を付して、その説明を省略する。
【００４２】
サーバ装置２０は、照合部２１２によって、受信部２１１から取得したコンテンツ識別情報ＣＩと、動画コンテンツＭＣに予め関連付けられたコンテンツ識別情報ＣＩとが一致すると照合された場合（ステップＳ２６０；ＹＥＳ）には、処理をステップＳ３１０へ進める。照合部２１２は、コンテンツ識別情報ＣＩが照合された動画コンテンツＭＣに、予め供給方式が設定されているか否かを照合する（ステップＳ３１０）。コンテンツ識別情報ＣＩが照合された動画コンテンツＭＣに、予め供給方式が設定されている場合（ステップＳ３１０；ＹＥＳ）には、選択部２１３は、予め設定された供給方式を選択し、処理をステップＳ２８０へ進める。一方、コンテンツ識別情報ＣＩが照合された動画コンテンツＭＣに、予め供給方式が設定されていない場合（ステップＳ３１０；ＮＯ）には、処理をステップＳ３２０へ進める。
この一例の場合、照合部２１２によってコンテンツ識別情報ＣＩが照合された動画コンテンツＭＣには、予め供給方式が設定される。更に、予め設定される供給方式が、ストリーミング方式である場合について説明する。これにより、供給部２１５は、選択部２１３が選択したストリーミング方式によって、読出し部２１４がコンテンツ識別情報ＣＩに基づいて読み出した動画コンテンツＭＣをユーザ端末１０へ供給する（ステップＳ３３０）。
【００４３】
以上説明したように、本実施形態の動画コンテンツ供給システム１では、コンテンツ識別情報ＣＩと予め関連付けられた動画コンテンツＭＣに予め供給方式が設定される場合がある。選択部２１３は、受信部２１１が受信したコンテンツ識別情報ＣＩに基づいて、動画コンテンツＭＣの供給方式を選択する。
これにより、本実施形態の動画コンテンツ供給システム１は、コンテンツ識別情報ＣＩを照合することによって予め設定供給方式が設定された動画コンテンツＭＣをユーザ端末１０へ供給することができる。
すなわち、動画コンテンツＭＣを供給する供給者は、任意に動画コンテンツＭＣの供給方式を設定することができる。
【００４４】
［第３実施形態］
次に、本発明の第３実施形態について図１１と、図１２とを参照して説明する。
第３実施形態の場合、動画コンテンツＭＣの供給方式は、ユーザＵの指示によって変更される。この場合、サーバ装置２０は、使用するユーザ端末１０にかかわらず、ユーザＵが指定した供給方式によって動画コンテンツＭＣをユーザ端末１０へ供給する。
これにより、例えば、ユーザＵがダウンロード方式を指定した場合、ユーザＵの使用するユーザ端末１０にかかわらず、ダウンロード方式によって動画コンテンツＭＣを供給することができる。
このユーザＵの指示によって動画コンテンツＭＣの供給方式を示す情報を、ユーザ指示情報ＤＩと称する。ユーザ指示情報ＤＩには、動画コンテンツＭＣの供給方式がダウンロード方式であるか、又はストリーミング方式であるかを示す情報が含まれる。
【００４５】
本実施形態において、ユーザＵは、ユーザ端末１０の入力部１１０から、ユーザ指示情報ＤＩを入力する。すなわち、本実施形態では、入力受付部１３１は、ユーザ識別情報ＵＩＤと、コンテンツ識別情報ＣＩと、ユーザ識別情報ＵＩＤとをそれぞれ入力部１１０から取得する。入力受付部１３１は、入力部１１０から取得したユーザ識別情報ＵＩＤと、コンテンツ識別情報ＣＩと、ユーザ指示情報ＤＩとを送信部１３２へ供給する。送信部１３２は、入力受付部１３１から取得したユーザ識別情報ＵＩＤと、コンテンツ識別情報ＣＩと、記憶部１４０に記憶される環境情報ｅｉとをサーバ装置２０に送信する。
以下、図１１と、図１２とを参照して、第３実施形態の概要について説明する。なお、以下の説明において、第１実施形態と同一の構成または同一の動作については同一の符号を付して、その説明を省略する。
【００４６】
ユーザ端末１０は、ステップＳ１３０を実行後、入力部１１０からユーザ指示情報ＤＩを取得する（ステップＳ１３５）。入力受付部１３１は、入力部１１０からコンテンツ識別情報ＣＩと、ユーザ指示情報ＤＩとを取得する（ステップＳ１４５）。送信部１３２は、入力受付部１３１が入力部１１０から取得したコンテンツ識別情報ＣＩと、ユーザ指示情報ＤＩとをサーバ装置２０へ送信する（ステップＳ１５５）。
照合部２１２は、取得したユーザ指示情報ＤＩによって、動画コンテンツＭＣの供給方式が設定されているか否かを照合する（ステップＳ３２０）。動画コンテンツＭＣの供給方式が設定されている場合（ステップＳ３２０；ＹＥＳ）には、選択部２１３は、ユーザ指示情報ＤＩによって設定された供給方式を選択し、処理をステップＳ２８０へ進める。一方、動画コンテンツＭＣの供給方式が設定されていない場合（ステップＳ３２０；ＮＯ）には、処理をステップＳ２７０へ進める。
この一例の場合、ユーザＵは、ダウンロード方式よって動画コンテンツＭＣをユーザ端末１０へ供給するよう指示する。これにより、供給部２１５は、選択部２１３が選択したダウンロード方式によって、読出し部２１４がコンテンツ識別情報ＣＩに基づいて読み出した動画コンテンツＭＣをユーザ端末１０へ供給する（ステップＳ３３０）。
【００４７】
以上説明したように、本実施形態の動画コンテンツ供給システム１では、ユーザＵが動画コンテンツＭＣの供給方式を指示する場合がある。選択部２１３は、受信部２１１が受信したユーザＵによって選択された供給方式を示すユーザ指示情報ＤＩに基づいて、動画コンテンツＭＣの供給方式を選択する。
これにより、本実施形態の動画コンテンツ供給システム１は、ユーザ指示情報ＤＩを照合すことによって、ユーザＵが指示した供給方式に基づいて動画コンテンツＭＣをユーザ端末１０へ供給することができる。
すなわち、ユーザＵは、任意に動画コンテンツＭＣの供給方式を選択することができる。
【００４８】
［変形例１］
以下、図１３を参照して、第１実施形態と、第２実施形態と、第３実施形態とに係る変形例１について説明する。
図１３は、コンテンツ記憶部２２０に記憶される動画コンテンツＭＣの一例を示す模式図である。変形例１が示す動画コンテンツＭＣにおいて、１つのコンテンツ識別情報ＣＩは、複数の動画コンテンツＭＣに関連付けられてもよい。この一例では、１つのコンテンツ識別情報ＣＩが２つの動画コンテンツＭＣに関連付けられる場合について説明する。
具体的には、コンテンツ識別情報ＣＩ１１は、動画コンテンツＭＣ１１と、動画コンテンツＭＣ１２とに関連付けられ、予めコンテンツ記憶部２２０に記憶される。
ここで、動画コンテンツＭＣ１１が本編映像であり、動画コンテンツＭＣ１２は初回購入者特典映像である場合について説明する。ユーザＵは、可搬媒体３０を購入、又は入手することによりコンテンツ識別情報ＣＩ１１を取得する。このユーザＵが取得するコンテンツ識別情報ＣＩ１１を所有することにより、ユーザＵは、動画コンテンツＭＣ１１と、動画コンテンツＭＣ１２とを視聴することができる。
【００４９】
［変形例２］
以下、図１４を参照して、第１実施形態と、第２実施形態と、第３実施形態とに係る変形例２について説明する。
図１４は、コンテンツ記憶部２２０に記憶される動画コンテンツＭＣの一例を示す模式図である。変形例２が示す動画コンテンツＭＣにおいて、ユーザ識別情報ＵＩＤと、コンテンツ識別情報ＣＩとが関連付けられてもよい。この一例では、ユーザＵが所有するコンテンツ識別情報ＣＩと、ユーザ識別情報ＵＩＤとが関連付けられ、コンテンツ記憶部２２０に記憶される場合について説明する。
具体的には、ユーザ識別情報ＵＩＤと、コンテンツ識別情報ＣＩと、このコンテンツ識別情報ＣＩに予め関連付けられた動画コンテンツＭＣとが関連付けられる。
【００５０】
ここで、ユーザ識別情報ＵＩＤ１であるユーザＵは、コンテンツ識別情報ＣＩ１と、コンテンツ識別情報ＣＩ２とを所有する場合について説明する。更に、ユーザ識別情報ＵＩＤ１と、コンテンツ識別情報ＣＩ１と、コンテンツ識別情報ＣＩ２とが関連付けされ、コンテンツ記憶部２２０に記憶される場合について説明する。すなわち、ユーザＵは、コンテンツ識別情報ＣＩ１関連付けられた動画コンテンツＭＣ１と、コンテンツ識別情報ＣＩ２関連付けられた動画コンテンツＭＣ２とを視聴する権利を所有する。これにより、ユーザＵは、サーバ装置２０へコンテンツ識別情報ＣＩ１を１回以上送信することなく動画コンテンツＭＣ１と、動画コンテンツＭＣ２とを視聴することができる。
また、変形例２においては、ユーザＵがサーバ装置２０へコンテンツ識別情報ＣＩ１を送信した後、可搬媒体３０を紛失した場合においても、ユーザＵが所有する動画コンテンツＭＣ１と、動画コンテンツＭＣ２とを視聴する権利は消失しない。
【００５１】
［変形例３］
以下、図１５を参照して、第１実施形態と、第２実施形態と、第３実施形態とに係る変形例３について説明する。
図１５は、可搬媒体３０の一例を示す模式図である。
変形例３が示す可搬媒体３０において、裏面に動画コンテンツＭＣの視聴が可能である期限が表記されていてもよい。この一例では、可搬媒体３０に表記されるコンテンツ識別情報ＣＩに予め関連付けられた動画コンテンツＭＣを視聴できる期限が表記される場合について説明する。この動画コンテンツＭＣを視聴できる期限を、有効期限ＥＤと称する。有効期限ＥＤは、同じ可搬媒体３０に表記されるコンテンツ識別情報ＣＩの有効期限を示す。すなわち、有効期限ＥＤは、同じ可搬媒体３０に表記されるコンテンツ識別情報ＣＩに予め関連付けられた動画コンテンツＭＣの視聴できる期限を示す。サーバ装置２０には、有効期限ＥＤと、コンテンツ識別情報ＣＩと、動画コンテンツＭＣとが予め記憶される。
これにより、動画コンテンツＭＣの供給者は、任意に動画コンテンツＭＣの供給期間を設定することができる。
【００５２】
以上説明したように、本発明のサーバ装置２０は、ユーザＵが使用するユーザ端末１０に応じて動画コンテンツＭＣの供給方式を選択する。また、本発明のサーバ装置２０は、コンテンツ識別情報ＣＩに予め設定された供給方式に基づいて動画コンテンツＭＣの供給方式を選択する。また、本発明のサーバ装置２０は、ユーザＵの指示に基づいて動画コンテンツＭＣの供給方式を選択する。
すなわち、本実施形態の動画コンテンツ供給システム１によれば、状況に応じた供給方式によってユーザ端末１０へ動画コンテンツＭＣを供給することができる。
【００５３】
なお、ここでは、可搬媒体３０の表面には動画コンテンツＭＣの内容を示す情報が表記される場合について説明したが、これに限られない。上述の説明における可搬媒体３０の表面と、裏面とに表記される内容が逆となっていてもよいし、両面に表記されている情報が片面に集約されていてもよい。
また、ここでは可搬媒体３０がカードである場合について説明したが、これに限られない。可搬媒体３０には、少なくともコンテンツ識別情報ＣＩが表記されていればよく、その態様はカードに限られない。例えば、可搬媒体３０は、チラシであってもよい。このチラシは、無償であるか有償であるかによらない。例えば、可搬媒体３０は、アーティストのコンサート会場や、レコード店の店頭等において無料配布されるものであってもよい。また、例えば、可搬媒体３０は、ＣＤのケースに同梱されるチラシや、有料のパンフレット等であってもよい。
【００５４】
なお、上記の実施形態におけるユーザ端末１０及びサーバ装置２０が備える各部は、専用のハードウェアにより実現されるものであってもよく、また、メモリおよびマイクロプロセッサにより実現させるものであってもよい。
【００５５】
なお、ユーザ端末１０及びサーバ装置２０が備える各部は、メモリおよびＣＰＵ（中央演算装置）により構成され、ユーザ端末１０及びサーバ装置２０が備える各部の機能を実現するためのプログラムをメモリにロードして実行することによりその機能を実現させるものであってもよい。
【００５６】
また、ユーザ端末１０及びサーバ装置２０が備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【００５７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００５８】
１…動画コンテンツ供給システム、１０…ユーザ端末、２０…サーバ装置、３０…可搬媒体、ＵＩＤ…ユーザ識別情報、ＣＩ…コンテンツ識別情報、ＭＣ…動画コンテンツ
【図１】
2016213576.tif 000003
【図２】
2016213576.tif 000004
【図３】
2016213576.tif 000005
【図４】
2016213576.tif 000006
【図５】
2016213576.tif 000007
【図６】
2016213576.tif 000008
【図７】
2016213576.tif 000009
【図８】
2016213576.tif 000010
【図９】
2016213576.tif 000011
【図１０】
2016213576.tif 000012
【図１１】
2016213576.tif 000013
【図１２】
2016213576.tif 000014
【図１３】
2016213576.tif 000015
【図１４】
2016213576.tif 000016
【図１５】
2016213576.tif 000017